(57)【要約】【課題】低コストで一方の面の位置でキーコードが特定される鍵を使用可能なキーコードを変更できる、小型で耐久性の高いシリンダ錠を提供することができるようにする。【解決手段】外周シリンダ２０１の内周面を回動可能な内周シリンダに挿入された鍵のキーコードに対応する面に可変タンブラが当接することによって、可変タンブラに挿入されている尖端部を有する可変タンブラが上下方向に移動する。尖端部を有する可変タンブラが移動することで、可変タンブラの尖端部と噛合部２３３−４ｂで噛合しているタンブラ２３３−４が上下方向に移動する。これと共に、凹部２３３−４ａが上下方向に移動し、サイドバー２５１の凸部２５１ｄに対する位置によって施錠するか、または開錠する動作が決定される。本発明は、キーコードを変更できるシリンダ錠に適用することができる。【選択図】図２２
2005163328.tif 000002
【特許請求の範囲】
【請求項１】
シリンダに挿入された鍵のキーコードに対応する面に当接することによって、前記キーコードに応じて前記面の位置が変化する方向である第１の方向の前記位置が特定される第１のタンブラと、
前記第１の方向の位置が前記第１のタンブラの前記第１の方向の前記位置に追従し、前記第１の方向および前記鍵の挿入の方向に直交する第２の方向の位置が第１の位置または第２の位置に移動可能に設けられた第２のタンブラと、
前記第１の方向の所定の部位に切り欠きが設けられ、前記第２のタンブラが前記第２の方向の前記第１の位置に移動している場合、前記第１の方向に並ぶ複数の位置決め部分のうちの、１つの前記位置決め部分と、前記第２のタンブラの一部とが接することによって、前記第２のタンブラを介して、前記第１のタンブラの前記第１の方向の動きが伝達されて、前記第１の方向の前記位置が特定される第３のタンブラと、
前記第３のタンブラの前記切り欠きに対応する形状の第１の凸部が設けられ、前記切り欠きの前記第１の方向の位置と前記第１の凸部の前記第１の方向の位置とが一致するように、前記第３のタンブラの前記第１の方向の前記位置が特定された場合、前記第１の凸部が前記切り欠きに嵌ることによって、前記鍵の挿入の方向に移動可能となり、前記鍵の挿入の方向の位置によって施錠するか、または開錠する動作を決定するサイドバーと
を含み、
さらに、前記第２のタンブラは、前記第２の方向の前記第２の位置に移動している場合、前記第３のタンブラの複数の前記位置決め部分から離れ、前記鍵が挿入されたとき、前記第１のタンブラに追従することにより、挿入されている前記鍵のキーコードに対応する前記面で定まる位置であって、複数の前記位置決め部分のうちの、１つの前記位置決め部分と接することができる位置に移動される
ことを特徴とするシリンダ錠。
【請求項２】
前記第２のタンブラを、シリンダの回動位置に応じて、前記第２の方向の前記第１の位置または前記第２の位置に移動させると共に、前記第１の方向に移動自在に保持するホルダをさらに含む
ことを特徴とする請求項１に記載のシリンダ錠。
【請求項３】
前記サイドバーの前記鍵の挿入の方向の一方の端部に設けられている第２の凸部と、ケースに設けられている凹部とが嵌合することにより施錠される
ことを特徴とする請求項１に記載のシリンダ錠。
【発明の詳細な説明】
【技術分野】
【０００１】
本発明は、シリンダ錠に関し、特に、施錠または開錠できる鍵を変更することができるようにしたシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に開錠される恐れが生じた場合、シリンダ錠を他の鍵で施錠または開錠できるものに取り替えなければならなかった。この場合、１つの鍵で施錠または開錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要である。
【０００５】
このため、施錠または開錠できる鍵を自由に変更可能なシリンダ錠が提案されている。
【０００６】
図１乃至図１０を参照して、従来の施錠または開錠できる鍵を自由に変更可能なシリンダ錠１について説明する。図１乃至図１０は、従来のシリンダ錠１の縦断面図である。シリンダ錠１のケース１０は、略筒状に形成される。ケース１０の後端部（図１中の右側）に取り付けフランジ１１が設けられている。
【０００７】
取り付けフランジ１１に対して取り付け面が一致するように背面カバー１２が設けられている。ケース１０の図中の上側の外周には、カバー１３が設けられている。ケース１０の図中の下側の外周には、カバー１４が設けられている。
【０００８】
中間シリンダ２１は、ケース１０の内側に回動可能に設けられている。中間シリンダ２１の図中の右端の軸２１ａは、背面カバー１２を貫通して、ケース１０の外部に露出し、図示せぬ施錠カムが装着される。
【０００９】
中間シリンダ２１の内側には、さらに、内周シリンダ２２が回動可能に設けられている。内周シリンダ２２の、ケース１０の前端部（図１中の左側）には、鍵が挿入される鍵孔２２ａが設けられている。
【００１０】
中間シリンダ２１および内周シリンダ２２は、施錠または開錠されるとき、鍵とともに回動し、軸２１ａに取り付けられた施錠カムを回動させる。
【００１１】
取り付けフランジ１１には、さらに、リセットピン孔３０が設けられている。リセットピン孔３０には、図中の上下方向に移動可能に、リセットボタン３１が配置されている。リセットピン３２、補助ピン３３、ドライバピン３４、およびバネ３５は、ケース１０、中間シリンダ２１、および内周シリンダ２２の円筒状の孔に連通するように配置されている。リセットピン３２の上端は、リセットボタン３１の凸部３１ａに当接する。バネ３５は、リセットピン３２、補助ピン３３、およびドライバピン３４を図中の上方向に付勢する。
【００１２】
リセットボタン３１が図中の下方向に押圧されたとき、リセットボタン３１の凸部３１ａに当接するリセットピン３２は、図中の下方向に移動し、リセットピン３２によって押圧される、補助ピン３３およびドライバピン３４が、図中の下方向に移動する。
【００１３】
ドライバピン孔４１−１乃至４１−８のそれぞれは、ケース１０の図中の上下方向の円筒状の孔、中間シリンダ２１の図中の上下方向の円筒状の孔、および内周シリンダ２２の図中の上下方向の円筒状の孔からなる。ドライバピン孔４１−１乃至４１−８は、ケース１０の軸方向（鍵が挿入される方向と一致する方向）に配列されている。
【００１４】
一方、ドライバピン孔５１−１乃至５１−８のそれぞれは、ケース１０の図中の上下方向の円筒状の孔および中間シリンダ２１の図中の上下方向の円筒状の孔からなり、ドライバピン孔４１−１乃至４１−８のそれぞれに対向する位置であって、ケース１０の軸方向に配列されている。
【００１５】
カバー１３は、ドライバピン孔４１−１乃至４１−８のケース１０側の開口部を被覆し、カバー１４は、ドライバピン孔５１−１乃至５１−８のケース１０側の開口部を被覆する。
【００１６】
図１で示される状態において、ドライバピン孔５１−１乃至５１−８の他方の開口部は、内周シリンダ２２によって閉じられている。
【００１７】
ドライバピン孔４１−１には、図中の上側から順に、バネ６０、ドライバピン６１、補助ピン６２、およびタンブラ６３が挿入され、連通し、ドライバピン６１、補助ピン６２、およびタンブラ６３は、バネ６０によって図１の下方向に付勢されている。内周シリンダ２２の円筒状の孔は、内側が細く形成され、タンブラ６３は、先端側（図１中の下側）が細く、ドライバピン６１と当接する側が太く形成されている。従って、タンブラ６３は、内周シリンダ２２の円筒状の孔の細くなった部分に当接して、位置決めされる。
【００１８】
また、ドライバピン孔４１−１に対向する位置に配置されているドライバピン孔５１−１には、図中の上から順に、５つの可変ピン６４、ドライバピン６５、およびバネ６６が挿入され、連通し、５つの可変ピン６４、ドライバピン６５は、バネ６６によって図１の上方向に付勢されている。
【００１９】
ドライバピン孔４１−２乃至４１−４、およびドライバピン孔５１−２乃至５１−４には、同様の各種ピンおよびバネが挿入されている。
【００２０】
重複して説明するが、例えば、ドライバピン孔４１−５には、バネ７０、ドライバピン７１、補助ピン７２、タンブラ７３、および２つの可変ピン７４ａが挿入され、連通し、バネ７０、ドライバピン７１、補助ピン７２、タンブラ７３、および２つの可変ピン７４ａは、バネ７０によって図１の下方向に付勢されている。
【００２１】
なお、２つの可変ピン７４ａは、補助ピン７２およびタンブラ７３の間に配置される。
【００２２】
ドライバピン孔５１−５には、３つの可変ピン７４ｂ、ドライバピン７５、およびバネ７６が挿入され、連通し、３つの可変ピン７４ｂおよびドライバピン７５は、バネ７６によって図１の上方向に付勢されている。
【００２３】
補助ピン６２（補助ピン７２を含む）の長さは、中間シリンダ２１の筒状部の肉厚と同等とされている。
【００２４】
図２は、シリンダ錠１に正規の鍵Ｋ1を矢印８０の方向に挿入した状態を表している。鍵Ｋ1には、シリンダ錠１における、個々のタンブラ６３（タンブラ７３を含む）の図中の上下方向の位置を決める、位置決め面８１−１乃至８１−８が設けられている。
【００２５】
以下、１つの鍵によって決まる、タンブラの位置の組み合わせを、その鍵のキーコードとも称する。また、開錠または施錠を許可するタンブラの位置の組み合わせを、その錠のキーコードとも称する。
【００２６】
鍵Ｋ1が挿入されると、ドライバピン孔４１−１乃至４１−８に挿入されているタンブラ６３（タンブラ７３を含む）が、鍵Ｋ1の位置決め面８１−１乃至８１−８（図２では８１−４乃至８１−６の符号を省略している）に当接することにより、各タンブラ６３（タンブラ７３を含む）は図２の上方向に移動する。
【００２７】
タンブラ６３の図中の上方向の移動によって、ドライバピン孔４１−１乃至４１−８において、ケース１０の内周面、および中間シリンダ２１の外周面と、全ての補助ピン６２の上側の面が一致するとともに、補助ピン３３の上側の面とが一致して、ラインＬ1が形成される。ドライバピン孔５１−１乃至５１−８において、ケース１０の内周面、および中間シリンダ２１の外周面と、可変ピン６４の下側の面が一致する。
【００２８】
この場合、中間シリンダ２１の内周面と、全ての補助ピン６２の下側の面が一致する。
【００２９】
一方、中間シリンダ２１の内周面と、ドライバピン３４の上面とは一致しない。
【００３０】
従って、ケース１０に対して、中間シリンダ２１および内周シリンダ２２が、一体に、回動可能になる。
【００３１】
図３で示されるように、矢印９１の方向にリセットボタン３１を押圧すると、リセットピン３２、補助ピン３３、およびドライバピン３４が図中の下側に移動して、ケース１０の内周面、および中間シリンダ２１の外周面と、補助ピン３３の上側の面とが一致せず、中間シリンダ２１の内周面と、全ての補助ピン６２の下側の面とが一致すると共に、ドライバピン３４の上側の面が一致することによりラインＬ2が形成される。
【００３２】
その結果、ケース１０に対して、中間シリンダ２１は固定されると共に、中間シリンダ２１に対して、内周シリンダ２２は回動可能になる。
【００３３】
従って、図４で示されるように矢印９２の方向（時計回り、または反時計回りの方向）に鍵Ｋ1を１８０°回動させることで内周シリンダ２２だけが１８０°回動し、図４に示す状態になる（ケース１０および中間シリンダ２１に対して、内周シリンダ２２が反転した状態になる）。
【００３４】
図４で示される状態において、ドライバピン孔５１−１乃至５１−８のそれぞれには、図中の上から順に、タンブラ６３、５つの可変ピン６４、ドライバピン６５、およびバネ６６が配置されることになる。
【００３５】
図５は、鍵Ｋ1を矢印１０１の方向に引き抜く様子を表している。
【００３６】
図６は、鍵Ｋ1を引き抜いたシリンダ錠１の状態を表している。すなわち、図６で示されるように鍵Ｋ1を引き抜くとドライバピン孔５１−１乃至５１−８において、バネ６６の付勢力により、タンブラ６３、５つの可変ピン６４、およびドライバピン６５は、図中の上側に移動し、タンブラ６３が、内周シリンダ２２の円筒状の孔の細くなった部分に当接することによって、位置決めされる。すなわち、タンブラ６３、５つの可変ピン６４、およびドライバピン６５は、ドライバピン孔５１−１乃至５１−８のそれぞれに対して、同じ位置に配置されることになる。
【００３７】
図７で示されるように、図６で示される状態のシリンダ錠１のキーコードを変更するため、新たな鍵Ｋ2が、矢印１１１の方向に移動されシリンダ錠１に挿入される。これにより、各タンブラ６３は、鍵Ｋ2の位置決め面１２１−１乃至１２１−８（図７では、位置決め面１２１−３乃至１２１−６の符号を省略している）のいずれかに当接することによって、内周シリンダ２２に対する、各タンブラ６３の位置が変化する。
【００３８】
この状態で、図８で示されるように鍵Ｋ2を矢印１３１の方向（時計回り、または反時計回りの方向）に１８０°回動させることで、ケース１０および中間シリンダ２１に対して、内周シリンダ２２のみが１８０°回動し、反転する。このとき、５つの可変ピン６４のうち、図７のラインＬ2に対して、内側に位置している（内周シリンダ２２側に位置している）可変ピン６４だけが内周シリンダ２２とともに、回動し、図８に示す状態に移行する。
【００３９】
さらに、図８における、矢印１３２で示される方向にリセットボタン３１がバネ３５の付勢力によって戻されることで、ラインＬ2とドライバピン３４の上面とが一致しなくなるので、中間シリンダ２１と内周シリンダ２２とが固定される。
【００４０】
図９は、矢印１４１で示される方向に鍵Ｋ2が引き抜かれる、シリンダ錠１を表している。
【００４１】
図１０は、鍵Ｋ2が引き抜かれ、キーコードが変更されたシリンダ錠１を表している。
【００４２】
図１で示される、ドライバピン孔４１−１乃至４１−８のそれぞれにおける可変ピンの数と、図１０で示される、ドライバピン孔４１−１乃至４１−８のそれぞれにおける可変ピンの数とが異なり、シリンダ錠１のキーコードが変更されることになる。
【００４３】
以上にようにして、図１０に示されるように従来のシリンダ錠１のキーコードは変更されていた。
【００４４】
また、筒状に形成され内周面に傾斜面で接続する係合凹部が形成されるケースと、ケースに回動可能に挿入され、前面に開口する鍵孔と、鍵孔に交叉するタンブラ孔と、タンブラ孔の一方の内壁面を貫通するサイドバー収容孔と、タンブラ孔の他方の内壁面を貫通するレトラクタ収容孔と、後部に形成される小径部に設けられるリセットピン挿入孔とを有するプラグと、ケースと小径部との間に回動可能に挿入される筒部にリセットピン挿入孔と重なる切欠部が形成され、後端部に形成される軸部に施錠カムを有するジョイントカムと、リセットピン挿入孔に挿入され、ジョイントカムの切欠部に突出する方向に付勢され、外部から操作可能なリセットボタンに当接するリセットピンと、レトラクタ収容孔に挿入され、端部に形成された係合突起が係合凹部に係合するレトラクタと、サイドバー収容孔に挿入され、先端部が係合凹部に係合する方向にばねにより付勢されるサイドバーと、タンブラ孔に挿入され、一方にキーに係合するキー係合溝と、鋸歯状の噛合部が設けられ、他方の面がレトラクタに滑り接触する可変タンブラと、タンブラ孔に挿入され、一方にサイドバー係合溝が設けられ、他方に噛合部に係脱する被噛合部が設けられるタンブラプレートとにより構成されるシリンダ錠もある（例えば、特許文献１参照）。このシリンダ錠においては、キーコード変更時に、初期設定キーによりプラグのみを１８０度回動した際に、レトラクタの係合突起がケースの係合凹部に一致し、レトラクタはばねにより係合突起が係合凹部に係入する方向に移動する。
【特許文献１】特開平７−２６９１８９号公報
【発明の開示】
【発明が解決しようとする課題】
【００４５】
しかしながら、従来のキーコードの変更可能なシリンダ錠では、シリンダ錠を構成する構成部品の数が多く、そのためコストが高くなってしまう課題があった。
【００４６】
また、可変ピン（可変ピン６４、７４など）は、構成上大きさが小さいことから、ドライバピン孔（例えば、ドライバピン孔４１−１）に嵌ってしまい、不具合が起こってしまう可能性があった。
【００４７】
さらに、従来のシリンダ錠１では、ケース１０が径方向に突出するため、大型化してしまい、大きな取り付けスペースが必要になってしまう課題があった。
【００４８】
また、シリンダ錠を、従来の部品点数を減らす構成としても、広く流通しているシリンダ錠の鍵であって、一方の面の位置でキーコードが特定されるもの（例えば、すり鉢形状の溝（キーコード）が設けられている鍵）では、シリンダ錠を施錠若しくは開錠し、またはシリンダ錠のキーコードを変更することができないという課題があった。
【００４９】
さらにまた、シリンダ錠に、筒状に形成され内周面に傾斜面で接続する係合凹部が形成されるケースと、レトラクタ収容孔に挿入され、端部に形成された係合突起が係合凹部に係合するレトラクタと、サイドバー収容孔に挿入され、先端部が係合凹部に係合する方向にバネにより付勢されるサイドバーと、タンブラ孔に挿入され、一方にキーに係合するキー係合溝と、鋸歯状の噛合部が設けられ、他方の面がレトラクタに滑り接触する可変タンブラと、タンブラ孔に挿入され、一方にサイドバー係合溝が設けられ、他方に噛合部に係脱する被噛合部が設けられるタンブラプレートとを設け、キーコード変更時に、初期設定キーによりプラグのみを１８０°回動した際に、レトラクタの係合突起がケースの係合凹部に一致し、レトラクタはバネにより係合突起が係合凹部に係入する方向に移動するようにした場合、鍵違いや正規の鍵ではない鍵によって無理に開錠しようとしたとき、または、正規の鍵を途中まで挿入して、無理に開錠しようとしたときなど、鋸歯状の噛合部に大きな力が掛かってしまう。噛合部は微小な鋸歯状に形成されているので、噛合部が破損しやすくなり、シリンダ錠の耐久性が低くなってしまうという課題があった。
【００５０】
本発明は、このような状況に鑑みてなされたものであり、構成部品数を少なくし、小型で安価な、キーコードの変更を可能にしたシリンダ錠であって、一方の面の位置でキーコードが特定される鍵を使用することができる耐久性の高いシリンダ錠を提供することができるようにするものである。
【課題を解決するための手段】
【００５１】
本発明のシリンダ錠は、シリンダに挿入された鍵のキーコードに対応する面に当接することによって、キーコードに応じて面の位置が変化する方向である第１の方向の位置が特定される第１のタンブラと、第１の方向の位置が第１のタンブラの第１の方向の位置に追従し、第１の方向および鍵の挿入の方向に直交する第２の方向の位置が第１の位置または第２の位置に移動可能に設けられた第２のタンブラと、第１の方向の所定の部位に切り欠きが設けられ、第２のタンブラが第２の方向の第１の位置に移動している場合、第１の方向に並ぶ複数の位置決め部分のうちの、１つの位置決め部分と、第２のタンブラの一部とが接することによって、第２のタンブラを介して、第１のタンブラの第１の方向の動きが伝達されて、第１の方向の位置が特定される第３のタンブラと、第３のタンブラの切り欠きに対応する形状の第１の凸部が設けられ、切り欠きの第１の方向の位置と第１の凸部の第１の方向の位置とが一致するように、第３のタンブラの第１の方向の位置が特定された場合、第１の凸部が切り欠きに嵌ることによって、鍵の挿入の方向に移動可能となり、鍵の挿入の方向の位置によって施錠するか、または開錠する動作を決定するサイドバーとを含み、さらに、第２のタンブラは、第２の方向の第２の位置に移動している場合、第３のタンブラの複数の位置決め部分から離れ、鍵が挿入されたとき、第１のタンブラに追従することにより、挿入されている鍵のキーコードに対応する面で定まる位置であって、複数の位置決め部分のうちの、１つの位置決め部分と接することができる位置に移動されることを特徴とする。
【００５２】
キーコードとは、タンブラの位置の組み合わせである。また、鍵は、いわゆる両面鍵であっても片面鍵であってもよい。
【００５３】
本発明のシリンダ錠においては、第１のタンブラが、シリンダに挿入された鍵のキーコードに対応する面に当接することによって、キーコードに応じて面の位置が変化する方向である第１の方向の位置が特定され、第２のタンブラが、第１の方向の位置が第１のタンブラの第１の方向の位置に追従し、第１の方向および鍵の挿入の方向に直交する第２の方向の位置が第１の位置または第２の位置に移動可能に設けられ、第３のタンブラが、第１の方向の所定の部位に切り欠きが設けられ、第２のタンブラが第２の方向の第１の位置に移動している場合、第１の方向に並ぶ複数の位置決め部分のうちの、１つの位置決め部分と、第２のタンブラの一部とが接することによって、第２のタンブラを介して、第１のタンブラの第１の方向の動きが伝達されて、第１の方向の位置が特定され、サイドバーが、第３のタンブラの切り欠きに対応する形状の第１の凸部が設けられ、切り欠きの第１の方向の位置と第１の凸部の第１の方向の位置とが一致するように、第３のタンブラの第１の方向の位置が特定された場合、第１の凸部が切り欠きに嵌ることによって、鍵の挿入の方向に移動可能となり、鍵の挿入の方向の位置によって施錠するか、または開錠する動作を決定し、さらに、第２のタンブラが、第２の方向の第２の位置に移動している場合、第３のタンブラの複数の位置決め部分から離れ、鍵が挿入されたとき、第１のタンブラに追従することにより、挿入されている鍵のキーコードに対応する面で定まる位置であって、複数の位置決め部分のうちの、１つの位置決め部分と接することができる位置に移動される。
【００５４】
したがって、シリンダ錠の構成部品を少なくすることができる。また、シリンダ錠を小型化することができる。さらに、シリンダ錠を低コストで形成することができる。
【００５５】
挿入された鍵を回動させようとした場合、第３のタンブラの位置決め部分とこれに接する第２のタンブラの一部とに力がかかることを防止することができ、その結果、シリンダ錠の耐久性を高めることができる。
【００５６】
第２のタンブラを、シリンダの回動位置に応じて、第２の方向の第１の位置または第２の位置に移動させると共に、第１の方向に移動自在に保持するホルダをさらに含むようにすることができる。
【００５７】
ホルダによって、第２のタンブラが、シリンダの回動位置に応じて、第２の方向の第１の位置または第２の位置に移動させると共に、第１の方向に移動自在に保持される。
【００５８】
サイドバーの鍵の挿入の方向の一方の端部に設けられている第２の凸部と、ケースに設けられている凹部とが嵌合することにより施錠されるようにすることができる。
【００５９】
挿入された鍵を回動させようとする力を、サイドバー、シリンダ、およびケースで受けることができるので、第３のタンブラの位置決め部分とこれに接する第２のタンブラの一部とに力がかかることを防止することができ、その結果、シリンダ錠の耐久性を高めることができる。
【発明の効果】
【００６０】
本発明によれば、キーコードを変更することができる。また、本発明によれば、低コストで、一方の面の位置でキーコードが特定される鍵を使用可能な、キーコードを変更できる小型で耐久性の高いシリンダ錠を提供することができる。
【発明を実施するための最良の形態】
【００６１】
以下に、本発明の実施の形態について図面を参照して説明する。
【００６２】
図１１および図１２は、本発明を適用したシリンダ錠１９１の外観の例を示している。図１１は、シリンダ錠１９１の前端部側の外観の斜視図である。図１２は、シリンダ錠１９１の後端部側の外観の斜視図である。
【００６３】
シリンダ錠１９１の、外周シリンダ２０１の内側には、正規の鍵が挿入された場合に、鍵と共に回動する内周シリンダ２０３が設けられている。内周シリンダ２０３が外周シリンダ２０１に配置された状態において、内周シリンダ２０３に設けられた、鍵が挿入される鍵穴２０３ａは、外周シリンダ２０１から外部に露出する。
【００６４】
また、外周シリンダ２０１の後部には、シリンダ錠１９１を固定するための取り付けフランジ２０１aが設けられている。取り付けフランジ２０１ａの上側および下側にそれぞれ、取り付け用のネジなどを貫通させる取り付け用孔２０２−１および２０２−２が設けられている。
【００６５】
外周シリンダ２０１の背面には、背面カバー２１３が嵌着されている。リセットボタン２１１を押圧できるように、外周シリンダ２０１の背面からリセットボタン２１１、およびジョイントカム２１２の一部が露出するように、リセットボタン２１１、およびジョイントカム２１２が設けられている。ジョイントカム２１２は、背面カバー２１３のジョイントカム用孔２１３ａを貫通している。また、ジョイントカム２１２には、図示せぬ施錠カムが取り付けられる軸部２１２ａ、および図２６を参照して後述する凸部２１２ｂが設けられている。すなわち、外周シリンダ２０１は、内周シリンダ２０３、および各構成部品を保持するケースである。
【００６６】
次に、図１３乃至図１６を参照して、シリンダ錠１９１の構造を説明する。図１３は、シリンダ錠１９１の構成を示す斜視図である。図１４は、シリンダ錠１９１の縦断面図である。図１５は、図１４のＡ−Ａ線におけるシリンダ錠１９１の縦断面図である。図１６は、図１４のＢ−Ｂ線におけるシリンダ錠１９１の横断面図である。
【００６７】
可変タンブラ２３１−１乃至２３１−８のそれぞれは、いわゆる、ピンタンブラであり、挿入された鍵の位置決め面のそれぞれに当接する。すなわち、内周シリンダ２０３に対する、可変タンブラ２３１−１乃至２３１−８のそれぞれの位置は、挿入された鍵によって決まる。
【００６８】
可変タンブラ２３２−１乃至２３２−８のそれぞれは、可変タンブラ２３１−１乃至２３１−８のそれぞれのほぼ中央に設けられた孔を貫通する。これによって、図１５中の上下方向の、可変タンブラ２３２−１乃至２３２−８のそれぞれの位置は、可変タンブラ２３１−１乃至２３１−８のそれぞれの位置によって決まる。
【００６９】
タンブラ２３３−１乃至２３３−８のそれぞれは、その内周シリンダ２０３に対する位置によって、内周シリンダ２０３の回動を可能にするか、または回動を抑制するように動作する。タンブラ２３３−１乃至２３３−８のそれぞれには、凹部２３３−１ａ乃至２３３−８ａ（切り欠き）のそれぞれ、および噛合部２３３−１ｂ乃至２３３−８ｂのそれぞれが設けられている。
【００７０】
タンブラ２３３−１乃至２３３−８の噛合部２３３−１ｂ乃至２３３−８ｂのそれぞれには、可変タンブラ２３２−１乃至２３２−８のそれぞれの尖端部が、噛合される。これによって、図１５中の上下方向の、タンブラ２３３−１乃至２３３−８のそれぞれの位置に対する、可変タンブラ２３２−１乃至２３２−８のそれぞれの位置が決まる。
【００７１】
タンブラ２３３−１乃至２３３−８の噛合部２３３−１ｂ乃至２３３−８ｂのそれぞれと、可変タンブラ２３２−１乃至２３２−８のそれぞれの尖端部とが噛合している場合、可変タンブラ２３１−１乃至２３１−８の位置によって、タンブラ２３３−１乃至２３３−８の位置が決まる。
【００７２】
従って、タンブラ２３３−１乃至２３３−８の噛合部２３３−１ｂ乃至２３３−８ｂのそれぞれと、可変タンブラ２３２−１乃至２３２−８のそれぞれの尖端部とが噛合している場合、タンブラ２３３−１乃至２３３−８のそれぞれの位置は、可変タンブラ２３１−１乃至２３１−８の位置、すなわち、挿入された鍵によって決まることになる。
【００７３】
可変タンブラ用バネ２３４−１乃至２３４−８のそれぞれは、一方の端部が可変タンブラ２３１−１乃至２３１−８に当接し、他方の端部がバネカバー２３５に当接するように設けられ、可変タンブラ２３１−１乃至２３１−８をシリンダ錠１９１に挿入された鍵の位置決め面に当接するように、付勢する。図１４で示されるように、可変タンブラ２３１−１乃至２３１−８および可変タンブラ用バネ２３４−１乃至２３４−８は、それぞれ、内周シリンダ２０３のタンブラ用孔２８１ａ乃至２８１ｈのそれぞれに挿入される。
【００７４】
バネカバー２３５の孔２３５ａは、内周シリンダ２０３の凸部２９１ａに嵌合され、バネカバー２３５の孔２３５ｂは、内周シリンダ２０３の凸部２９１ｂに嵌合されることにより、バネカバー２３５は、内周シリンダ２０３に固定される（図１４）。
【００７５】
また、可変タンブラ２３２−１乃至２３２−８のそれぞれの尖端部とは逆側の端部（後部）には、凸部が設けられ、凸部を含む後部は、ホルダ２４１の規制突起用溝２４１ａ乃至２４１ｈのそれぞれに挿入される。
【００７６】
図１５で示されるように、可変タンブラ２３２−１乃至２３２−８のそれぞれの後端が、ホルダ２４１の規制突起用溝２４１ａ乃至２４１ｈのそれぞれに沿って、図中の上下方向に移動でき、図中の左右方向に移動しないように、ホルダ２４１は、可変タンブラ２３２−１乃至２３２−８を保持する。
【００７７】
また、図１６に示されるように、ホルダ用バネ２４２−１および２４２−２のそれぞれは、内周シリンダ２０３の孔２７１ａおよび２７１ｂのそれぞれに配置され、ホルダ２４１を、外周シリンダ２０１の内面に押圧する。
【００７８】
ホルダ２４１の外周シリンダ２０１の内面に接する側には、傾斜面を有する凸部２４１ｊが設けられている。また、ホルダ２４１の凸部２４１ｊの傾斜面は、外周シリンダ２０１の凹部２０１ｄの傾斜面に対応する形状とされている。
【００７９】
一方、サイドバー２５１は、内周シリンダ２０３のサイドバー収容孔２８１ｋに挿入される。サイドバー２５１は、その凸部２５１ｋが外周シリンダ２０１の凹部２０１ｅと噛み合うか、またはその噛み合いが外れることにより、外周シリンダ２０１に対する内周シリンダ２０３の回動を規制する。凸部２５１ｋと噛み合う外周シリンダ２０１の凹部２０１ｅは、内周シリンダ２０３の鍵穴２０３ａが露出する側の外周シリンダ２０１の面の内側に設けられている。すなわち、円筒状の外周シリンダ２０１および円筒状の内周シリンダ２０３が接する円形状の面（内周シリンダ２０３の回動方向に平行の面）において、サイドバー２５１の凸部２５１ｋと外周シリンダ２０１の凹部２０１ｅとが噛み合う。
【００８０】
なお、サイドバー２５１の凸部２５１ｋと、外周シリンダ２０１の凹部２０１ｅの傾斜面とは、施錠されている状態においては嵌合し、後述する開錠される場合においては、嵌合が解除されるように、対応する形状とされている。
【００８１】
なお、凸部２５１ｋは、内周シリンダ２０３の回動の方向に曲率を有する曲面を設けるようにしてもよいし、内周シリンダ２０３の回動の方向に傾斜する傾斜面を設けるようにしてもよい。
【００８２】
より詳細には、図１６で示されるように、サイドバー２５１は、内周シリンダ２０３のサイドバー収容孔２８１ｋに収容される。サイドバー２５１には、凸部２５１ｋと外周シリンダ２０１の凹部２０１ｅとが噛み合う位置に移動させるようにサイドバー２５１を付勢するサイドバー用バネ２５２を格納する凹部２５１ｍが設けられている。すなわち、サイドバー２５１の凹部２５１ｍの一端にある凸部に、サイドバー用バネ２５２の一方の端部が嵌められ、サイドバー用バネ２５２の他の端部が、内周シリンダ２０３のサイドバー収容孔２８１ｋに設けられる図示せぬ掛止部に当接される。これにより、サイドバー２５１は、サイドバー用バネ２５２により図１６中の左側に付勢される。
【００８３】
また、サイドバー２５１には、凸部２５１ａ乃至２５１ｊが設けられている。凸部２５１ａ乃至２５１ｊは、タンブラ２３３−１乃至２３３−８に当接するか、またはタンブラ２３３−１乃至２３３−８の凹部２３３−１ａ乃至２３３−８ａに嵌ることにより、鍵の挿入の方向のサイドバー２５１の位置を規制する。
【００８４】
より詳しく説明すると、シリンダ錠１９１が施錠されている状態において、外周シリンダ２０１の傾斜面を有する凹部２０１ｅ（以下、単に凹部２０１ｅと称する）とサイドバー２５１の凸部２５１ｋとが嵌合すると共に、サイドバー２５１は、サイドバー収容孔２８１ｋを貫通し（図１６上側）、凸部２５１ａ乃至２５１ｊのそれぞれの間に形成される凹部にタンブラ２３３−１乃至２３３−８いずれかの、凹部２３３−１ａ乃至２３３−８ａ以外の部分に嵌合（当接）する（例えば、凸部２５１ａと凸部２５１ｂの間に形成される凹部にタンブラ２３３−１の凹部２３３−１ａ以外の部分が嵌合（当接）する）。
【００８５】
すなわち、図１５で示されるように、シリンダ錠１９１が施錠されている状態において、サイドバー２５１の凸部２５１ａ乃至２５１ｈのそれぞれがタンブラ２３３−１乃至２３３−８のそれぞれのいずれかの部分に当接するので、サイドバー２５１は、図１６の右側に移動することができず、その結果、外周シリンダ２０１の凹部２０１ｅとサイドバー２５１の凸部２５１ｋとの嵌合が外れることがないので、内周シリンダ２０３は、外周シリンダ２０１に対して、回動することができない。
【００８６】
これに対して、鍵が挿入されると、可変タンブラ２３１−１乃至２３１−８が図１５中の上下方向に移動する。可変タンブラ２３１−１乃至２３１−８のそれぞれに、可変タンブラ２３２−１乃至２３２−８のそれぞれが貫通し、可変タンブラ２３２−１乃至２３２−８の尖端部のそれぞれが、タンブラ２３３−１乃至２３３−８の噛合部２３３−１ｂ乃至２３３−８ｂのそれぞれと噛合しているので、可変タンブラ２３１−１乃至２３１−８が図１５中の上下方向の移動に対応して、タンブラ２３３−１乃至２３３−８が図１５中の上下方向に移動する。
【００８７】
正規の鍵が挿入された場合、サイドバー２５１の凸部２５１ａ乃至２５１ｈの位置と、タンブラ２３３−１乃至２３３−８の凹部２３３−１ａ乃至２３３−８ａの全ての位置とが一致する。
【００８８】
これにより、サイドバー２５１の凸部２５１ａ乃至２５１ｊとタンブラ２３３−１乃至２３３−８の凹部２３３−１ａ乃至２３３−８ａとが嵌ることができ、サイドバー２５１は、図１６の右側に移動することができるようになる。正規の鍵によって、内周シリンダ２０３の回動が開始されると、外周シリンダ２０１の凹部２０１ｅに沿ってサイドバー２５１が図１６の右側に移動し、外周シリンダ２０１の凹部２０１ｅと、内周シリンダ２０３側のサイドバー２５１の凸部２５１ｋとの嵌合が外れ、内周シリンダ２０３は、外周シリンダ２０１に対して、回動することができるようになる。
【００８９】
なお、図１３において、可変タンブラ２３１−３乃至２３１−６、可変タンブラ２３２−３乃至２３２−６、タンブラ２３３−３乃至２３３−６、凹部２３３−３ａ乃至２３３−６ａ、噛合部２３３−３ｂ乃至２３３−６ｂ、可変タンブラ用バネ２３４−３乃至２３４−６、およびタンブラ用孔２８１ｃ乃至２８１ｆの符号は省略している。
【００９０】
図１４で示されるように、リセットボタン２１１は、図中の上下方向に移動可能に設けられている。リセットボタン２１１の凸部２１１ａは、リセットピン２６１の一端に当接する。リセットピン２６１の他の一端に当接するジョイントブロック２６２、およびジョイントブロック２６２に当接するリセット用バネ２６３は、内周シリンダ２０３の孔２８１ｊに配置される。リセット用バネ２６３は、ジョイントブロック２６２、リセットピン２６１、およびリセットボタン２１１を図中の上側に付勢する。
【００９１】
リセットボタン２１１が図中の下方向に押圧されていない状態においては、図１３で示されるように、ジョイントブロック２６２が、内周シリンダ２０３の孔２８１ｊに挿入され、嵌合されると共に、ジョイントブロック２６２の凸部２６２ａは、ジョイントカム２１２の凹部２１２ｃと嵌合する。従って、リセットボタン２１１が図中の下方向に押圧されていない状態においては、内周シリンダ２０３にジョイントカム２１２が固定される。
【００９２】
一方、リセットボタン２１１が図中の下方向に押圧された場合、ジョイントブロック２６２が、図１４中の下方向に移動し、リセットピン２６１がジョイントカム２１２に嵌合すると共に、ジョイントブロック２６２の上側の面と、ジョイントカム２１２の内周の面とが一致することにより、外周シリンダ２０１に対して、内周シリンダ２０３は回動自在となると共に、ジョイントカム２１２は、外周シリンダ２０１に固定される。
【００９３】
完全挿入確認レバー３１１は、レバー用ピン３１２によって、内周シリンダ２０３に回動自在に装着される。図１４で示されるように、レバー用バネ３１３は、完全挿入確認レバー３１１が外周シリンダ２０１の溝２０１ｂに嵌るように、所定の回動方向に付勢する。
【００９４】
以上のように、正規の鍵が挿入された場合、ジョイントカム２１２と共に内周シリンダ２０３の回動が可能となり、正規の鍵が挿入されていない場合、内周シリンダ２０３の回動ができないように、シリンダ錠１９１は、構成されている。
【００９５】
また、正規の鍵が挿入され、リセットボタン２１１が押圧された場合、ジョイントカム２１２が外周シリンダ２０１に対して固定されたままで、内周シリンダ２０３の回動が可能になる。
【００９６】
次に図１７を参照して、シリンダ錠１９１に挿入される鍵Ｋ3の例を説明する。図１７は、鍵Ｋ3の外観の例を示す斜視図である。鍵Ｋ3は、ユーザが鍵Ｋ3を回動させる場合に、保持する保持部４１１、およびシリンダ錠１９１に挿入する挿入部４１２により構成されている。挿入部４１２には、３段階の深さ（高さ）を有するすり鉢形状の孔として位置決め面４２１乃至４２８が設けられている。
【００９７】
なお、位置決め面４２１乃至４２８は、シリンダ錠１９１に挿入された場合、内周シリンダ２０３に対する、可変タンブラ２３１−１乃至２３１−８のそれぞれの位置を決めることができれば足り、すり鉢形状に限られない。
【００９８】
図１８および図１９を参照して、正規の鍵Ｋ3が挿入されたシリンダ錠１９１について説明する。図１８は、鍵Ｋ3が挿入されたシリンダ錠１９１の縦断面図である。図１９の図１９Ａ、図１９Ｂ、および図１９Ｃのそれぞれは、図１８のＣ−Ｃ線、Ｄ−Ｄ線、およびＥ−Ｅ線におけるシリンダ錠１９１の縦断面図である。
【００９９】
図１８で示されるように、シリンダ錠１９１に鍵Ｋ3が挿入されると、可変タンブラ２３１−１乃至２３１−８のそれぞれは、位置決め面４２１乃至４２８のそれぞれに当接することによって、可変タンブラ２３１−１乃至２３１−８は、３段階の位置（高さ（図１８中の縦方向））のうちの１つの位置に移動する。
【０１００】
また、上述したように、内周シリンダ２０３の孔２８３に、レバー用ピン３１２を介して完全挿入確認用レバー３１１が回動自在に装着されている。完全挿入確認用レバー３１１は、レバー用バネ３１３によって、外周シリンダ２０１の溝２０１ｂに嵌るように、所定の回動方向に付勢されている。
【０１０１】
従って、正規の鍵Ｋ3が内周シリンダ２０３に、中途半端に挿入された場合、図１４で示されるように、完全挿入確認用レバー３１１の図１４の下側の凸部は、外周シリンダ２０１の溝２０１ｂに掛止されたままとなるので、内周シリンダ２０３は、外周シリンダ２０１に対して回動不能となる。
【０１０２】
これによって、いずれかの可変タンブラ２３１−１乃至２３１−８が、鍵Ｋ3の位置決め面４２１乃至４２８のいずれかに当接しない状態で、内周シリンダ２０３が回動されてしまうことを防止することができる。
【０１０３】
また、ピッキングなどにより、可変タンブラ２３１−１乃至２３１−８を開錠可能な位置（高さ）に合わせることが出来たとしても、完全挿入確認用レバー３１１の凸部（図１４下側）が外周シリンダ２０１の溝２０１ｂに掛止されていることで内周シリンダ２０３の回動、および開錠を防ぐことができる。
【０１０４】
一方、図１８で示されるように、鍵Ｋ3が完全に挿入された場合、すなわち、全ての可変タンブラ２３１−１乃至２３１−８が、鍵Ｋ3の位置決め面４２１乃至４２８のいずれかに当接するように鍵Ｋ3が挿入された場合、鍵Ｋ3の挿入部４１２の先端に有するテーパ面が、完全挿入確認用レバー３１１の凸部（図１４の上側、または図１８の上側）に当接するので、完全挿入確認用レバー３１１は、レバー用ピン３１２を軸に時計方向に回動する。
【０１０５】
以上のように、完全挿入確認用レバー３１１によって、鍵Ｋ3が完全に挿入された場合にのみ、内周シリンダ２０３は、外周シリンダ２０１に対して回動可能となる。また、シリンダ錠１９１においては、ピッキングによる不正開錠が防止され、セキュリティ性を向上することが可能となる。
【０１０６】
図１９Ａで示されるように、可変タンブラ２３１−２が鍵Ｋ3の挿入部４１２の位置決め面４２２に当接されることで、可変タンブラ２３１−２と共に、可変タンブラ２３２−２と噛合しているタンブラ２３３−２も位置決めされる。すなわち、可変タンブラ２３１−２は、鍵Ｋ3に応じて位置決め面４２２の位置が変化する方向である図１９の上下方向の位置が特定されるように設けられている。また、可変タンブラ２３２−２は、可変タンブラ２３１−２の上下方向の位置を追従し、図１９の上下方向および鍵Ｋ3の挿入の方向に直交する方向の位置として図１９の左方向の位置または図１９の右方向の位置に移動可能に設けられている。
【０１０７】
また、タンブラ２３３−２は、可変タンブラ２３２−２が上述した図１９の左方向の位置に移動している場合、図１９の上下方向に並ぶ３つの噛合溝（例えば、図３６を参照して後述する噛合溝６５１乃至６５３）を有する噛合部２３３−２ｂと、可変タンブラ２３２−２の尖端部とが接する（噛合する）ことによって、可変タンブラ２３２−２を介して、可変タンブラ２３１−２の図１９の上下方向の動きが伝達され、図１９の上下方向の位置が特定され、図１９の上下方向の位置によって、施錠するか、または開錠する動作を決定する。
【０１０８】
可変タンブラ２３１−２は、鍵Ｋ3の挿入部４１２の最も低い位置決め面４２２に当接するが、タンブラ２３３−２は、噛合部２３３−２ｂのうち、最も低い位置に噛合しているので、タンブラ２３３−２は、位置決め面４２２に対してより高い位置に配置される。
【０１０９】
その結果、凹部２３３−２ａの図中の上下方向の位置がサイドバー２５１の図中の上下方向の位置に一致する。
【０１１０】
また、図１９Ｂで示されるように、可変タンブラ２３１−４が鍵Ｋ3の挿入部４１２の位置決め面４２４に当接して、図中の上方向に移動されることで、可変タンブラ２３１−４と共に、可変タンブラ２３２−４と噛合しているタンブラ２３３−４も上方向に移動される。
【０１１１】
可変タンブラ２３１−４は、鍵Ｋ3の挿入部４１２の中間の高さの位置決め面４２４に当接するが、タンブラ２３３−４は、噛合部２３３−４ｂのうち、中間の高さに噛合しているので、タンブラ２３３−４は、位置決め面４２４に対して中間の高さの位置に配置される。
【０１１２】
その結果、凹部２３３−４ａの図中の上下方向の位置がサイドバー２５１の図中の上下方向の位置に一致する。
【０１１３】
さらに、図１９Ｃで示されるように、可変タンブラ２３１−６が鍵Ｋ3の挿入部４１２の位置決め面４２６に当接して、図中の上方向に移動されることで、可変タンブラ２３１−６と共に、可変タンブラ２３２−６と噛合しているタンブラ２３３−６も上方向に移動される。
【０１１４】
可変タンブラ２３１−６は、鍵Ｋ3の挿入部４１２の最も高い位置決め面４２６に当接するが、タンブラ２３３−６は、噛合部２３３−６ｂのうち、最も高い位置に噛合しているので、タンブラ２３３−６は、位置決め面４２６に対してより低い位置に配置される。
【０１１５】
その結果、凹部２３３−６ａの図中の上下方向の位置がサイドバー２５１の図中の上下方向の位置に一致する。
【０１１６】
以上、タンブラ２３３−２，２３３−４および２３３−６について説明したが、タンブラ２３３−１，２３３−３，２３３−５，２３３−７、および２３３−８も同様に、その凹部２３３−１ａ，２３３−３ａ，２３３−５ａ，２３３−７ａ、および２３３−８ａの位置がサイドバー２５１の位置に一致する。従って、サイドバー２５１の凸部２５１ａ乃至２５１ｈのそれぞれは、図２４および図２５を参照して後述するように、内周シリンダ２０３の回動の際には、タンブラ２３３−１乃至２３３−８の凹部２３３−１ａ乃至２３３−８ａのそれぞれに挿入されることになる。
【０１１７】
次に、図２０乃至図２６を参照してシリンダ錠１９１の開錠の詳細について説明する。図２０は、施錠されている場合のサイドバー２５１を説明する、シリンダ錠１９１の透過斜視図である。図２１は、施錠されている場合の図１４のＡ−Ａ線におけるシリンダ錠１９１の縦断面図である。図２２は、開錠される場合のサイドバー２５１を説明する、シリンダ錠１９１の透過斜視図である。図２３は、開錠を説明する図１８のＤ−Ｄ線におけるシリンダ錠１９１の縦断面図である。図２４は、開錠される場合のサイドバー２５１を説明する、シリンダ錠１９１の透過斜視図である。図２５は、サイドバー２５１の凸部２５１ｄとタンブラ２３３−４との嵌合を説明する図である。図２６は、ジョイントカム２１２を説明する図である。
【０１１８】
鍵Ｋ3が挿入されていない場合、図２０に示されるように、例えば、サイドバー２５１の凸部２５１ｄとタンブラ２３３−４の凹部２３３−４ａとの高さが一致しない。このため、タンブラ２３３−４の凹部２３３−４ａ以外の部分が、サイドバー２５１の凸部２５１ｄと凸部２５１ｅの間に形成される凹部に嵌合される。従って、図２１で示されるように、例えば、矢印４６１の方向に内周シリンダ２０３を回動させようとしても、サイドバー２５１の凸部２５１ｄとタンブラ２３３−４の側面（凹部２３３−４ａ以外の側面）が当接し、図２０の矢印４５１の方向にサイドバー２５１は移動することができない。すなわち、外周シリンダ２０１の凹部２０１ｅとサイドバー２５１の凸部２５１ｋとの嵌合が外れることがないため内周シリンダ２０３は外周シリンダ２０１に対して回動することができないことになる。
【０１１９】
また、正規の鍵Ｋ3とは異なる鍵がシリンダ錠１９１に挿入された場合も同様に、少なくともタンブラ２３３−１乃至タンブラ２３３−８の凹部２３３−１ａ乃至２３３−８ａいずれか１つの位置がサイドバー２５１の位置（凸部２５１ａ乃至２５１ｈの位置）に移動されず、サイドバー２５１は矢印４５１の方向に移動することは不可能となり、正規の鍵Ｋ3とは異なる鍵では、シリンダ錠１９１は開錠されない。
【０１２０】
正規の鍵Ｋ3以外の鍵でシリンダ錠１９１を開錠しようとした場合、サイドバー２５１には、矢印４５１で示される方向の力が発生するが、タンブラ２３３−４の噛合部２３３−４ｂと可変タンブラ２３２−４の尖端部とを押しつける方向の力は発生しない。
【０１２１】
これに対し、正規の鍵Ｋ3が挿入された場合、サイドバー２５１の凸部２５１ａ乃至２５１ｊとタンブラ２３３−１の凹部２３３−１ａ乃至タンブラ２３３−８の凹部２３３−８ａの全ての位置（高さ）が一致するため、例えば、図２２で示されるようにサイドバー２５１の凸部２５１ｄとタンブラ２３３−４の凹部２３３−４ａの高さが一致する。図２３で示されるように、ユーザが鍵Ｋ3を矢印４８１の方向に回動させることで、外周シリンダ２０１の凹部２０１ｅの傾斜面によって、サイドバー２５１の凸部２５１ｋが押されることになるので、サイドバー２５１は、図２２の矢印４７１の方向に移動し、その凸部２５１ｄがタンブラ２３３−４の凹部２３３−４aに挿入される（凸部２５１ａ乃至２５１ｈのそれぞれが、全てのタンブラの凹部２３３−１a乃至２３３−８aに挿入される）。
【０１２２】
さらに詳細に説明すると、図２４Ａで示されるように、正規の鍵Ｋ3が挿入され、タンブラ２３３−４の凹部２３３−４ａがサイドバー２５１の凸部２５１ｄの位置（高さ）に移動する。図２３の矢印４８１の方向に内周シリンダ２０３が回動されることによって、図２４Ｂに示されるようにサイドバー２５１が矢印４９１の方向（図２２の矢印４７１の方向）に移動し、タンブラ２３３−４の凹部２３３−４ａにサイドバー２５１の凸部２５１ｄが挿入（嵌合）される。すなわち、正規の鍵Ｋ3の挿入時には、図２５に示されるように凸部２５１ｄと凹部２３３−４ａとの位置（高さ）が一致し、内周シリンダ２０３が回動されることで、図２５Ｂに示されるように、凸部２５１ｄは凹部２３３−４ａと嵌合する。
【０１２３】
これにより、外周シリンダ２０１の凹部２０１ｅとサイドバー２５１の凸部２５１ｋとの嵌合が解除されることになる（内周シリンダ２０３が外周シリンダ２０１に対して回動する）。また、図２３では内周シリンダ２０３は矢印４８１方向に、すなわち図上では、時計回りに回動されているが、反時計回り（矢印４６１方向とは逆方向）にも回動可能である。
【０１２４】
以上のように、シリンダ錠１９１においては、サイドバー２５１の移動方向が、内周シリンダ２０３に鍵が挿入される方向と同じ方向（逆方向であってもよい）とされている。すなわち、シリンダ錠１９１では、サイドバー２５１の移動方向が、タンブラ２３３−４の噛合部２３３−４ｂと可変タンブラ２３２−４の尖端部（図２３参照）との噛み合う方向と直交している。従って、施錠、または開錠される場合に、鍵違いや正規の鍵ではない鍵による無理な開錠、正規の鍵の未完全挿入での開錠による誤動作などによる内周シリンダ２０３の無理な回動によって生じる力が、タンブラ２３３−４の噛合部２３３−４ｂと可変タンブラ２３２−４の尖端部との噛合部分にかかることを防ぐことができる。噛合部分に力がかからないことで、噛合部分の破損を防ぐことができる。
【０１２５】
その結果として、長年に渡りシリンダ錠１９１の機能を維持することができ、いわゆる耐用年数を長くすることができる。すなわち、耐久性が向上する。
【０１２６】
また、上述した噛合部分の破損による、ユーザからの苦情を減らすことができ、市場での信頼が高まることが期待できる。さらに、信頼が高まることで市場における需要の拡大が期待できる。
【０１２７】
内周シリンダ２０３が回動することで、ジョイントブロック２６２を介し、内周シリンダ２０３と固定されているジョイントカム２１２、軸２１２ａ、および凸部２１２ｂが回動する。すなわち、図２６で示されるように、凸部２１２ｂも時計回り、または反時計回りに回動する。ただし、背面カバー２１３のジョイントカム用孔２１３ａに設けられている凸部２１３ｂ，２１３ｃは、ジョイントカム２１２の凸部２１２ｂに対して、ストッパーの役割を果たすため、ジョイントカム２１２の回動が制限される。凸部２１２ｂは、凸部２１３ｂまたは２１３ｃに当接するまで、回動することができる。すなわち、例えば、時計回りの方向、または反時計回りの方向に１２０°まで回動可能にされる。
【０１２８】
次に、図２７乃至図３３を参照してシリンダ錠１９１のリセット状態への移行について説明する。図２７は、リセットボタン２１１を説明する図である。図２８および図２９は、リセット状態への移行を説明する図１８のＤ−Ｄ線におけるシリンダ錠１９１の縦断面図である。図３０は、図２９の領域５３１の拡大図である。図３１は、図２９の領域５３２の拡大図である。図３２は、リセット状態のシリンダ錠１９１の縦断面図である。図３３は、図３２のＦ−Ｆ線におけるシリンダ錠１９１の縦断面図である。
【０１２９】
図２７Ａで示されるように、リセットボタン２１１は、凸部２１１ａでリセットピン２６１と当接する。リセットピン２６１の他の一端に当接するジョイントブロック２６２、およびジョイントブロック２６２に当接するリセット用バネ２６３は、内周シリンダ２０３に配置される。また、このとき、図１３を参照して上述したように、ジョイントカム２１２はジョイントブロック２６２を介し内周シリンダ２０３に固定されている。
【０１３０】
図２７Ｂで示されるように、ユーザにより矢印５０１の方向にリセットボタン２１１が押圧されると、凸部２１１ａと当接しているリセットピン２６１が図２７の下方向に移動されると共に、リセットピン２６１に当接されているジョイントブロック２６２も図２７の下方向に移動される。したがって、ジョイントブロック２６２を介して固定されていた内周シリンダ２０３とジョイントカム２１２の固定が解除される。すなわちジョイントブロック２６２の上側の面と、ジョイントカム２１２の内周の面とが一致することにより、ジョイントブロック２６２の凸部２６２aとジョイントカム２１２の凹部２１２cとの嵌合が解除される。
【０１３１】
内周シリンダ２０３とジョイントカム２１２との固定が解除されたことで、外周シリンダ２０１の内周面に沿って、内周シリンダ２０３だけが回動可能となる。
【０１３２】
図２８で示されるように、内周シリンダ２０３とジョイントカム２１２との固定が解除されたため、正規の鍵Ｋ3が回動されることで、内周シリンダ２０３だけが矢印５１１の方向に回動する。図２８および図２９は、内周シリンダ２０３を１８０°回動させたシリンダ錠１９１を示す。
【０１３３】
図２９の矢印５２１は、内周シリンダ２０３を１８０°回動させたことを示している。
【０１３４】
図２９および図３０で示されるように、内周シリンダ２０３を１８０°回動させたことで、ホルダ２４１は、バネ２４２−１および２４２−２の付勢力によって、外周シリンダ２０１の凹部２０１dに嵌るように図中の左側に移動する。その結果、傾斜面を有する凸部２４１ｊ（以下、単に凸部２４１ｊと称する）が凹部２０１ｄに嵌る。
【０１３５】
ホルダ２４１が図中の左側にズレ幅５４１の長さだけ移動するので、ホルダ２４１の規制突起用溝２４１ｄに挿入されている可変タンブラ２３２−４は、ホルダ２４１と共に、矢印５２２の方向に移動する。
【０１３６】
なお、サイドバー２５１の凸部２５１ａ乃至２５１ｈが、タンブラ２３３−１の凹部２３３−１ａ乃至タンブラ２３３−８の凹部２３３−８ａに挿入されているので、サイドバー２５１に対するタンブラ２３３−１乃至２３３−８の位置が保持される。
【０１３７】
従って、図３１で示されるように、可変タンブラ２３２−１乃至２３２−８の尖端部は、ズレ幅５５２（＝ズレ幅５４１）の長さだけ矢印５５１の方向に移動し、可変タンブラ２３２−１乃至２３２−８の尖端部のそれぞれと、タンブラ２３３−１の歯合部２３３−１ｂ乃至タンブラ２３３−８の歯合部２３３−８ｂのそれぞれとの噛合が解除される。
【０１３８】
その後、シリンダ錠１９１から鍵Ｋ3を引き抜くことにより、図３２で示されるようにキーコードはリセット状態になる。このリセット状態では、可変タンブラ２３１−１乃至２３１−８は同一の高さに揃っている。すなわち、例えば、図３３で示されるように、可変タンブラ２３２−２は、タンブラ２３３−２の歯合部２３３−２ｂから解除され、可変タンブラ２３１−２が可変タンブラ用バネ２３４−２によって図３３の上方向に付勢される。同様に、可変タンブラ２３１−１乃至２３１−８のそれぞれも、可変タンブラ用バネ２３４−１乃至２３４−８のそれぞれによって、図３２の上方向に付勢され、可変タンブラ２３２−１乃至２３２−８のそれぞれが内周シリンダ２０３に当接する、同一の高さで揃うこととなる。また、このとき可変タンブラ２３１−２に挿入されている可変タンブラ２３２−２も、図３３の上方向に付勢される。他の可変タンブラ２３１−１,２３１−３乃至２３１−８も同様である。
【０１３９】
また、このとき完全挿入確認レバー３１１の凸部（図３２の上側）は、外周シリンダ２０１の溝２０１cに掛止される（図３２）。
【０１４０】
次に、図３４乃至図３９を参照してシリンダ錠１９１のキーコード変更について説明する。図３４は、図３２で示される状態のシリンダ錠１９１に、新しいキーコードを設定するために鍵Ｋ3と異なる鍵Ｋ4を挿入したシリンダ錠１９１の縦断面図である。図３５Ａ、図３５Ｂ、および図３５Ｃは、それぞれ、図３４のＧ−Ｇ線、Ｈ−Ｈ線、およびＪ−Ｊ線の縦断面図である。図３６は、図３５Ｂの領域６３１の拡大図である。図３７は、キーコード変更時の内周シリンダ２０３の状態を説明するための図３４のＨ−Ｈ線の縦断面図である。図３８は、図３７の領域６７１の拡大図である。図３９は、図３７の領域６７２の拡大図である。
【０１４１】
図３４で示されるように、シリンダ錠１９１に鍵Ｋ3とは異なる鍵Ｋ4の挿入部６０１が挿入されている。図３２で示したように完全挿入確認レバー３１１の凸部（図３２の上側）が外周シリンダ２０１の溝２０１ｃに掛止されることで、鍵が完全に内周シリンダ２０３の内部に挿入されていない場合は、内周シリンダ２０３は外周シリンダ２０１に対して回動不能とされる。
【０１４２】
従って、鍵Ｋ4がシリンダ錠１９１に中途まで挿入された状態（完全に挿入されていない状態）で回動されることによって、誤ったキーコードが設定されることを防ぐことができる。例えば、鍵Ｋ4の挿入部６０１の位置決め面６１８が可変タンブラ２３１−７の位置まで挿入された状態で内周シリンダ２０３を回動することを防ぐことができる。
【０１４３】
可変タンブラ２３１−１乃至２３１−８のそれぞれは、鍵Ｋ4の挿入部６０１の孔である位置決め面６１１乃至６１８のそれぞれに当接し、位置決め面６１１乃至６１８のそれぞれによって、図３２で示した位置から図３２の下方向に押圧される。
【０１４４】
図３５Ａで示されるように、可変タンブラ２３１−２は、挿入部６０１の位置決め面６１２によって、図３５の下方向に押圧され、可変タンブラ２３１−２と共に、可変タンブラ２３２−２が図３５の下方向に移動する。
【０１４５】
図３５Ｂで示されるように、可変タンブラ２３１−４は、挿入部６０１の位置決め面６１４によって、図３５の下方向に押圧され、可変タンブラ２３１−４と共に可変タンブラ２３２−４も移動する。すなわち、図３６で示されるように、最初の設定（図１５で示される設定）では、場所６４１に位置し、３つの噛合溝６５１乃至６５３の内、噛合溝６５２に噛合していた可変タンブラ２３２−４は、鍵Ｋ4の位置決め面６１４によって、矢印６４２の方向に移動し、タンブラ２３３−４の噛合部２３３−４ｂの噛合溝６５３に噛合する位置に移動することになる。
【０１４６】
図３５Ｃで示されるように、可変タンブラ２３１−６も、挿入部６０１の位置決め面６１６によって、図３５の下方向に押圧され、可変タンブラ２３１−６と共に可変タンブラ２３２−６が移動する。
【０１４７】
以上、可変タンブラ２３１−２，２３１−４および２３１−６について説明したが、可変タンブラ２３１−１，２３１−３，２３１−５，２３１−７、および２３１−８も同様に、鍵Ｋ4によって可変タンブラ２３２−１,２３２−３，２３２−５，２３２−７,および２３２−８が移動される。
【０１４８】
このとき、サイドバー２５１の凸部２５１ａ乃至２５ｈが、タンブラ２３３−１の凹部２３３−１ａ乃至タンブラ２３３−８の凹部２３３−８ａに挿入されているので、サイドバー２５１に対するタンブラ２３３−１乃至２３３−８の位置が保持され、変化しない。すなわち、内周シリンダ２０３に対するタンブラ２３３−１乃至２３３−８の位置は変化しない。
【０１４９】
図３７で示されるように、その後、矢印６６１の方向にさらに鍵Ｋ4を回動させることで、内周シリンダ２０３が回動し、図３８で示されるように外周シリンダ２０１の凹部２０１ｄとホルダ２４１の凸部２４１ｊとの嵌合が解除される。外周シリンダ２０１の内周面とホルダ２４１との当接によって、ホルダ２４１が矢印６８１の方向に移動する（図３０のズレ幅５４１の長さだけ移動する）。これと同時に、図３９で示されるように矢印６９１の方向（矢印６８１と同方向）に可変タンブラ２３２−１乃至可変タンブラ２３２−８が移動し（図３１のズレ幅５５２の長さだけ移動する）、可変タンブラ２３２−１乃至可変タンブラ２３２−８のそれぞれは、噛合部２３３−１ｂ乃至噛合部２３３−８ｂの噛合溝（噛合溝６５１乃至６５３のいずれか）のそれぞれに噛合する。
【０１５０】
すなわち、図２９において、可変タンブラ２３２−４は、図２９の右方向に移動している場合、タンブラ２３３−４の噛合部２３３−４ｂから離れ、図３７において、鍵Ｋ4が挿入されたとき、可変タンブラ２３１−４に追従することにより、挿入されている鍵Ｋ4のキーコードに対応する位置決め面６１４で定まる位置であって、タンブラ２３３−４の噛合部２３３−４ｂのうちの、１つの噛合溝と接することができる位置に移動する。
【０１５１】
これにより、シリンダ錠１９１のキーコードが、鍵Ｋ4に対応した新しいキーコードに変更される。
【０１５２】
すなわち、シリンダ錠１９１のキーコードが、鍵Ｋ4に対応した新しいキーコードに設定される。
【０１５３】
その後、リセット用バネ２６３の付勢力によってリセットボタン２１１が図３４の上方向に戻り、内周シリンダ２０３とジョイントカム２１２がジョイントブロック２６２を介して固定される。
【０１５４】
以上のように、可変タンブラ２３２−１乃至２３２−８の尖端部は、タンブラ２３３−１乃至２３３−８のそれぞれの噛合部２３３−１ｂ乃至２３３−８ｂのそれぞれの３つの噛合溝（噛合溝６５１乃至６５３）のうちのいずれか１つの噛合溝（例えば、噛合溝６５３など）に噛合させることができるので、シリンダ錠１９１のキーコードの種類は３8種類＝６５６１種類である。
【０１５５】
なお、可変タンブラ２３２−１乃至２３２−８のそれぞれが、可変タンブラ２３１−１乃至２３１−８のそれぞれに設けられた孔を貫通することによって、可変タンブラ２３２−１乃至２３２−８のそれぞれと、可変タンブラ２３１−１乃至２３１−８のそれぞれとの位置関係が決まると説明したが、これに限ることなく、逆に、可変タンブラ２３２−１乃至２３２−８側に長穴を設けて、可変タンブラ２３１−１乃至２３１−８を通したり、いずれかの側面に溝を設けてこれに沿って摺動されるようにするなど、所望の方式で、互いの位置を決めるようにしてもよい。
【０１５６】
また、タンブラ２３３−１乃至２３３−８の噛合部２３３−１ｂ乃至２３３−８ｂのそれぞれと、可変タンブラ２３２−１乃至２３２−８のそれぞれの尖端部とが噛合すると説明したが、これに限ることなく、タンブラ２３３−１乃至２３３−８側に複数の穴を設けたりするなど、所望の方式で、互いの位置を決めるようにしてもよい。
【０１５７】
さらに、ホルダ２４１の規制突起用溝２４１ａ乃至２４１ｈおよび可変タンブラ２３２−１乃至２３２−８の後部の凸部の形状は、これに限ることなく、可変タンブラ２３２−１乃至２３２−８の後部に溝を設けるなど、図１５中の上下方向に移動でき、図１５中の左右方向に移動しない形状であればよい。
【０１５８】
さらに、バネとして、コイルバネを例に説明したが、これに限らず、付勢力を与えることができれば足り、板バネまたは樹脂などの弾性体とすることができる。
【図面の簡単な説明】
【０１５９】
【図１】従来のシリンダ錠の縦断面図である。
【図２】正規の鍵が挿入されている従来のシリンダ錠に縦断面図である。
【図３】リセット状態への移行を説明する、従来のシリンダ錠の縦断面図である。
【図４】リセット状態への移行を説明する、従来のシリンダ錠の縦断面図である。
【図５】リセット状態への移行を説明する、従来のシリンダ錠の縦断面図である。
【図６】リセット状態の従来のシリンダ錠の縦断面図である。
【図７】キーコードの変更を説明する、従来のシリンダ錠の縦断面図である。
【図８】キーコードの変更を説明する、従来のシリンダ錠の縦断面図である。
【図９】キーコードの変更を説明する、従来のシリンダ錠の縦断面図である。
【図１０】キーコードが変更された従来のシリンダ錠の縦断面図である。
【図１１】本発明に係るシリンダ錠の前端部側の外観斜視図である。
【図１２】本発明に係るシリンダ錠の後端部側の外観斜視図である。
【図１３】本発明に係るシリンダ錠の構成を示す斜視図である。
【図１４】本発明に係るシリンダ錠の鍵が挿入される方向における縦断面図である。
【図１５】図１４のＡ−Ａ線におけるシリンダ錠の縦断面図である。
【図１６】図１４のＢ−Ｂ線におけるシリンダ錠の横断面図である。
【図１７】正規の鍵の外観の例を示す斜視図である。
【図１８】鍵が完全に挿入されたシリンダ錠の縦断面図である。
【図１９】図１８のＣ−Ｃ線、Ｄ−Ｄ線、およびＥ−Ｅ線におけるシリンダ錠の縦断面図である。
【図２０】施錠されている場合のサイドバーを説明する、シリンダ錠の透過斜視図である。
【図２１】施錠されている場合の、図１４のＡ−Ａ線におけるシリンダ錠の縦断面図である。
【図２２】開錠される場合のサイドバーを説明する、シリンダ錠の透過斜視図である。
【図２３】開錠を説明する図１８のＤ−Ｄ線のおけるシリンダ錠の縦断面図である。
【図２４】開錠される場合のサイドバーを説明する、シリンダ錠の透過斜視図である
【図２５】サイドバーの凸部とタンブラの凹部との嵌合を説明する図である。
【図２６】ジョイントカムを説明する図である。
【図２７】リセットボタンを説明する図である。
【図２８】キーコードのリセット状態への移行を説明する、図１８のＤ−Ｄ線におけるシリンダ錠の縦断面図である。
【図２９】キーコードのリセット状態への移行を説明する、図１８のＤ−Ｄ線におけるシリンダ錠の縦断面図である。
【図３０】図２９における外周シリンダの凹部とホルダの凸部との嵌合を説明する図である。
【図３１】図２９におけるタンブラの噛合部と可変タンブラの尖端部との嵌合の解除を説明する図である。
【図３２】リセット状態のシリンダ錠の縦断面図である。
【図３３】図３２のＦ−Ｆ線におけるシリンダ錠の縦断面図である。
【図３４】キーコードを設定するための鍵が挿入されたシリンダ錠の縦断面図である。
【図３５】図３４のＧ−Ｇ線、Ｈ−Ｈ線、およびＪ−Ｊ線におけるシリンダ錠の縦断面図である。
【図３６】図３５Ｂにおける可変タンブラの上下方向の移動を説明する図である。
【図３７】キーコードの設定を説明するための図３４のＨ−Ｈ線におけるシリンダ錠の縦断面図である。
【図３８】図３７における外周シリンダの凹部とホルダの凸部との嵌合の解除を説明する図である。
【図３９】図３７におけるタンブラの噛合部と可変タンブラの尖端部との嵌合を説明する図である。
【符号の説明】
【０１６０】
１９１  シリンダ錠，
２０１  外周シリンダ，
２０１ｂ  溝，
２０１ｃ  溝，
２０１ｄ  凹部，
２０１ｅ  凹部，
２０３  内周シリンダ，
２０３ａ  鍵穴，
２１１  リセットボタン，
２１２  ジョイントカム，
２３１−１乃至２３１−８  可変タンブラ，
２３２−１乃至２３２−８  可変タンブラ，
２３３−１乃至２３３−８  タンブラ，
２３３−１ａ乃至２３３−８ａ  凹部，
２３３−１ｂ乃至２３３−８ｂ  噛合部，
２４１  ホルダ，
２５１  サイドバー，
２５１ａ乃至２５１ｈ  凸部，
２５１ｊ，２５１ｋ  凸部，
Ｋ3  鍵，
Ｋ4  鍵
【図１】
2005163328.tif 000003
【図２】
2005163328.tif 000004
【図３】
2005163328.tif 000005
【図４】
2005163328.tif 000006
【図５】
2005163328.tif 000007
【図６】
2005163328.tif 000008
【図７】
2005163328.tif 000009
【図８】
2005163328.tif 000010
【図９】
2005163328.tif 000011
【図１０】
2005163328.tif 000012
【図１１】
2005163328.tif 000013
【図１２】
2005163328.tif 000014
【図１３】
2005163328.tif 000015
【図１４】
2005163328.tif 000016
【図１５】
2005163328.tif 000017
【図１６】
2005163328.tif 000018
【図１７】
2005163328.tif 000019
【図１８】
2005163328.tif 000020
【図１９】
2005163328.tif 000021
【図２０】
2005163328.tif 000022
【図２１】
2005163328.tif 000023
【図２２】
2005163328.tif 000024
【図２３】
2005163328.tif 000025
【図２４】
2005163328.tif 000026
【図２５】
2005163328.tif 000027
【図２６】
2005163328.tif 000028
【図２７】
2005163328.tif 000029
【図２８】
2005163328.tif 000030
【図２９】
2005163328.tif 000031
【図３０】
2005163328.tif 000032
【図３１】
2005163328.tif 000033
【図３２】
2005163328.tif 000034
【図３３】
2005163328.tif 000035
【図３４】
2005163328.tif 000036
【図３５】
2005163328.tif 000037
【図３６】
2005163328.tif 000038
【図３７】
2005163328.tif 000039
【図３８】
2005163328.tif 000040
【図３９】
2005163328.tif 000041